(57)【要約】【課題】  データサーバ装置から記録媒体への楽曲データの転送作業が利用者にとって簡易なものとなる音楽データ転送システムを提供する。【解決手段】  記録媒体１１には、その記録媒体のＩＤまたはその記録媒体に接続される音楽再生装置のＩＤが付与されている。音楽データ格納部１１２は、複数の楽曲について音楽データを格納する。関連付け情報格納部１１５は、記録媒体に付与されたＩＤと、当該記録媒体１１への音楽データの転送に関する指示を示す指示情報とを関連付けた関連付け情報を格納する。読取部１３は、装着部に装着されている記録媒体に付与されているＩＤを読み取る。指示決定部１１６は、読み取られたＩＤに関連付けられた指示情報を関連付け情報を参照して決定する。転送部１１７は、決定された指示情報により示される指示に従って音楽データを記録媒体１１へ転送する。【選択図】  図１
2007011505.tif 000002
【特許請求の範囲】
【請求項１】
記録媒体を装着可能な装着部を有するデータサーバシステムであって、
前記記録媒体には、その記録媒体のＩＤまたはその記録媒体に接続される音楽再生装置のＩＤが付与されており、
複数の楽曲について音楽データを格納する音楽データ格納手段と、
記録媒体に付与されたＩＤと、当該記録媒体への音楽データの転送に関する指示を示す指示情報とを関連付けた関連付け情報を格納する関連付け情報格納手段と、
前記装着部に装着されている記録媒体に付与されているＩＤを読み取る読取手段と、
前記読み取られたＩＤに関連付けられた指示情報を前記関連付け情報を参照して決定する指示決定手段と、
前記決定された指示情報により示される指示に従って前記音楽データを前記記録媒体へ転送する転送手段とを備える、データサーバシステム。
【請求項２】
前記関連付け情報格納手段は、記録媒体に付与されたＩＤと当該記録媒体の利用者を示す利用者情報とを関連付ける第１テーブル、および、利用者情報と当該利用者情報により示される利用者の記録媒体への音楽データの転送に関する指示情報とを関連付けた第２テーブルを関連付け情報として格納し、
前記指示決定手段は、前記読み取られたＩＤに関連付けられた利用者情報を前記第１テーブルを参照して決定するとともに、決定された利用者情報に関連付けられた指示情報を前記第２テーブルを参照して決定する、請求項１に記載のデータサーバシステム。
【請求項３】
前記指示情報は、記録媒体へ音楽データを転送すべき楽曲に関する指示を示す、請求項１に記載のデータサーバシステム。
【請求項４】
前記音楽データ格納手段に音楽データが格納されている楽曲が有する属性を示す属性情報を格納する属性格納部をさらに備え、
前記指示情報は、記録媒体へ音楽データを転送すべき楽曲が有する属性を示し、
前記転送手段は、
前記決定された指示情報により示される属性と、前記属性格納部に格納されている前記属性情報により示される属性とに基づいて、前記音楽データ格納手段に音楽データが格納されている楽曲の中から転送すべき楽曲を選出する選曲手段と、
前記選出された楽曲の音楽データを前記記録媒体へ転送する転送実行手段とを含む、請求項３に記載のデータサーバシステム。
【請求項５】
前記属性情報により示される属性は、楽曲に対する聴者の印象を数値化した印象値であり、
前記指示情報は、記録媒体へ音楽データを転送すべき楽曲の印象値を示し、
前記選曲手段は、前記決定された指示情報により示される印象値と一致または類似する印象値を有する楽曲を選出する、請求項４に記載のデータサーバシステム。
【請求項６】
前記属性情報により示される属性は、楽曲のジャンルであり、
前記指示情報は、記録媒体へ音楽データを転送すべき楽曲のジャンルを示し、
前記選曲手段は、前記決定された指示情報により示されるジャンルの楽曲を選出する、請求項４に記載のデータサーバシステム。
【請求項７】
前記指示は、記録媒体へ音楽データを書き込む方法を指定する指示である、請求項１に記載のデータサーバシステム。
【請求項８】
前記指示は、記録媒体へ音楽データを転送するデータ量を指定する指示である、請求項１に記載のデータサーバシステム。
【請求項９】
前記転送手段によって行われた転送の履歴を示す履歴情報を前記記録媒体毎に保存する履歴保存手段をさらに備え、
前記転送手段は、前記履歴情報に基づいて音楽データを前記記録媒体へ転送する、請求項１に記載のデータサーバシステム。
【請求項１０】
前記履歴保存手段は、記録媒体へ音楽データが前回転送された楽曲を示す情報を前記履歴情報として保存し、
前記転送手段は、前記履歴情報により示される楽曲を除いて音楽データを記録媒体へ転送する、請求項９に記載のデータサーバシステム。
【請求項１１】
前記読取手段は、楽曲の音楽データと当該音楽データの前記音楽再生装置における再生状況を示す再生情報とが記録媒体に記録されている場合、当該再生情報を当該記録媒体から読み取り、
前記転送手段は、前記読み取られた再生情報に基づいて音楽データを前記記録媒体へ転送する、請求項１に記載のデータサーバシステム。
【請求項１２】
前記記録媒体は、前記音楽再生装置がその内部に備える記憶媒体であり、
前記ＩＤは、前記音楽再生装置に付与されたＩＤである、請求項１に記載のデータサーバシステム。
【請求項１３】
前記テーブルはユーザによって作成および修正が可能である、請求項１に記載のデータサーバシステム。
【請求項１４】
前記データサーバシステムは、端末装置と、当該端末装置とネットワークを介して通信可能なサーバ装置とを備え、
前記端末装置は、
前記読取手段と、
前記読取手段によって読み取られたＩＤを前記サーバ装置へ送信する端末側送信手段と、
前記サーバ装置から送信されてくる音楽データを前記記録媒体へ書き込む書込手段とを備え、
前記サーバ装置は、
前記音楽データ格納手段と、
前記関連付け情報格納手段と、
前記指示決定手段と、
前記転送手段と、
前記転送手段によって転送される音楽データを前記端末装置へ送信するサーバ側送信手段とを備え、
前記転送手段は、前記音楽データを前記サーバ側送信手段および前記書込手段を介して前記記録媒体へ転送する、請求項１に記載のデータサーバシステム。
【請求項１５】
記録媒体を装着可能な装着部を有するデータサーバ装置において用いられる回路であって、
前記記録媒体には、その記録媒体のＩＤまたはその記録媒体に接続される音楽再生装置のＩＤが付与されており、
前記データサーバ装置には、複数の楽曲について音楽データが格納されており、
記録媒体に付与されたＩＤと、当該記録媒体への音楽データの転送に関する指示を示す指示情報とを関連付けた関連付け情報を格納する関連付け情報格納手段と、
前記装着部に装着されている記録媒体に付与されているＩＤを読み取る読取手段と、
前記読み取られたＩＤに関連付けられた指示情報を前記関連付け情報を参照して決定する指示決定手段と、
前記決定された指示情報により示される指示に従って前記音楽データを前記記録媒体へ転送する転送手段とを備える、音楽データ転送用回路。
【請求項１６】
記録媒体と、当該記録媒体を装着可能な装着部を有するデータサーバシステムとを含む音楽データ転送システムであって、
前記記録媒体には、その記録媒体のＩＤまたはその記録媒体に接続される音楽再生装置のＩＤが付与されており、
前記データサーバシステムは、
複数の楽曲について音楽データを格納する音楽データ格納手段と、
記録媒体に付与されたＩＤと、当該記録媒体への音楽データの転送に関する指示を示す指示情報とを関連付けた関連付け情報を格納する関連付け情報格納手段と、
前記装着部に装着されている記録媒体に付与されているＩＤを読み取る読取手段と、
前記読み取られたＩＤに関連付けられた指示情報を前記関連付け情報を参照して決定する指示決定手段と、
前記決定された指示情報により示される指示に従って前記音楽データを前記記録媒体へ転送する転送手段とを備える、音楽データ転送システム。
【請求項１７】
記録媒体を装着可能な装着部を有するデータサーバシステムにおいて用いられる方法であって、
前記記録媒体には、その記録媒体のＩＤまたはその記録媒体に接続される音楽再生装置のＩＤが付与されており、
複数の楽曲についての音楽データ、および、記録媒体に付与されたＩＤと、当該記録媒体への音楽データの転送に関する指示を示す指示情報とを関連付けた関連付け情報を前記データサーバシステムに予め格納しておき、
前記装着部に装着されている記録媒体に付与されているＩＤを読み取る読取ステップと、
前記読み取られたＩＤに関連付けられた指示情報を前記関連付け情報を参照して決定する指示決定ステップと、
前記決定された指示情報により示される指示に従って前記音楽データを前記記録媒体へ転送する転送ステップとを備える、音楽データ転送方法。
【請求項１８】
記録媒体を装着可能な装着部を有するデータサーバ装置のコンピュータにおいて実行されるプログラムであって、
前記記録媒体には、その記録媒体のＩＤまたはその記録媒体に接続される音楽再生装置のＩＤが付与されており、
前記データサーバ装置は、複数の楽曲についての音楽データ、および、記録媒体に付与されたＩＤと、当該記録媒体への音楽データの転送に関する指示を示す指示情報とを関連付けた関連付け情報を格納しており、
前記プログラムは、
前記装着部に装着されている記録媒体に付与されているＩＤを読み取る読取ステップと、
前記読み取られたＩＤに関連付けられた指示情報を前記関連付け情報を参照して決定する指示決定ステップと、
前記決定された指示情報により示される指示に従って前記音楽データを前記記録媒体へ転送する転送ステップとを前記コンピュータに実行させる、音楽データ転送プログラム。
【請求項１９】
請求項１８に記載の音楽データ転送プログラムを記録した、前記記録媒体とは異なるコンピュータ読み取り可能な記録媒体。
【発明の詳細な説明】
【技術分野】
【０００１】
本発明は、複数の音楽データを記録したデータサーバシステムと携帯型の音楽再生装置等に装着可能な記録媒体との間で、音楽データを転送するシステムに関する。
【背景技術】
【０００２】
携帯型の音楽再生装置で音楽を再生する際には、パーソナルコンピュータ等のデータサーバ装置から音楽再生装置へ音楽データを取得する方法が一般的である。具体的には、楽曲の音楽データ（楽曲データ）をデータサーバ装置に複数蓄えておき、データサーバ装置から半導体メモリカード等の記録媒体へ楽曲データを転送し、その記録媒体を音楽再生装置に装着して楽曲を再生するのである。
【０００３】
従来、データサーバ装置から記録媒体への楽曲データの転送操作は、データサーバ装置に記録されている楽曲の中から利用者が所望の楽曲を個別に選択することによって行われていた。つまり、記録媒体へ転送される楽曲データは、利用者が適宜選択することによって決定されていた。
【０００４】
また、特許文献１に記載の音楽コンテンツ転送システムでは、記録媒体へ転送される楽曲を、いわゆるお気に入りリストを用いて決定している。すなわち、楽曲を指定するお気に入りリストをデータサーバ装置で作成しておき、利用者がお気に入りリストを選択すると、データサーバ装置は、選択されたお気に入りリストにおいて指定される楽曲のデータを半導体メモリカードへ転送する。これによって、利用者は、楽曲データを転送する際にお気に入りリストを選択することによって好みの楽曲データを記録媒体へ転送することができる。
【特許文献１】特開２００３−２９７９５号公報
【発明の開示】
【発明が解決しようとする課題】
【０００５】
従来における楽曲データの転送方法では、データサーバ装置から記録媒体へ楽曲データを転送する作業が利用者に負担となっていた。すなわち、従来の転送方法では、転送する楽曲を利用者が個別に選択する必要があり、利用者は、楽曲を個別に選択する作業を転送を行う度に行わなければならなかった。また、上記特許文献１に記載のシステムにおいても、利用者は、複数のリストがある場合には、お気に入りリストの内容を確認し、複数のリストから自分の好みのリストを選択しなければならなかった。いずれにしても従来の方法では、転送すべき楽曲を利用者が自ら指定しなければならなかった。特に、携帯型の音楽再生装置で音楽を聴く目的で記録媒体を利用する場合には、転送を頻繁に行うのが一般的な利用形態であるので、転送作業が利用者に大きな負担となっていた。
【０００６】
それ故、本発明の目的は、データサーバ装置から記録媒体への楽曲データの転送作業が利用者にとって簡易なものとなる音楽データ転送システムを提供することである。
【課題を解決するための手段】
【０００７】
上記課題を解決すべく、本発明は次の構成を採用した。
すなわち、第１の発明は、記録媒体を装着可能な装着部を有するデータサーバシステムである。記録媒体には、その記録媒体のＩＤまたはその記録媒体に接続される音楽再生装置のＩＤが付与されている。データサーバシステムは、複数の楽曲について音楽データを格納する音楽データ格納手段と、記録媒体に付与されたＩＤと、当該記録媒体への音楽データの転送に関する指示を示す指示情報とを関連付けた関連付け情報を格納する関連付け情報格納手段と、装着部に装着されている記録媒体に付与されているＩＤを読み取る読取手段と、読み取られたＩＤに関連付けられた指示情報を関連付け情報を参照して決定する指示決定手段と、決定された指示情報により示される指示に従って音楽データを記録媒体へ転送する転送手段とを備える。
【０００８】
第２の発明においては、関連付け情報格納手段は、記録媒体に付与されたＩＤと当該記録媒体の利用者を示す利用者情報とを関連付ける第１テーブル、および、利用者情報と当該利用者情報により示される利用者の記録媒体への音楽データの転送に関する指示情報とを関連付けた第２テーブルを関連付け情報として格納してもよい。指示決定手段は、読み取られたＩＤに関連付けられた利用者情報を第１テーブルを参照して決定するとともに、決定された利用者情報に関連付けられた指示情報を第２テーブルを参照して決定する。
【０００９】
第３の発明においては、指示情報は、記録媒体へ音楽データを転送すべき楽曲に関する指示を示すものであってもよい。
【００１０】
第４の発明においては、音楽データ格納手段に音楽データが格納されている楽曲が有する属性を示す属性情報を格納する属性格納部をさらに備えていてもよい。このとき、指示情報は、記録媒体へ音楽データを転送すべき楽曲が有する属性を示す。転送手段は、決定された指示情報により示される属性と、属性格納部に格納されている属性情報により示される属性とに基づいて、音楽データ格納手段に音楽データが格納されている楽曲の中から転送すべき楽曲を選出する選曲手段と、選出された楽曲の音楽データを記録媒体へ転送する転送実行手段とを含む。
【００１１】
第５の発明においては、属性情報により示される属性は、楽曲に対する聴者の印象を数値化した印象値であってもよい。指示情報は、記録媒体へ音楽データを転送すべき楽曲の印象値を示す。選曲手段は、決定された指示情報により示される印象値と一致または類似する印象値を有する楽曲を選出する。
【００１２】
第６の発明においては、属性情報により示される属性は、楽曲のジャンルであってもよい。指示情報は、記録媒体へ音楽データを転送すべき楽曲のジャンルを示す。選曲手段は、決定された指示情報により示されるジャンルの楽曲を選出する。
【００１３】
第７の発明においては、指示は、記録媒体へ音楽データを書き込む方法を指定する指示であってもよい。
【００１４】
第８の発明においては、指示は、記録媒体へ音楽データを転送するデータ量を指定する指示であってもよい。
【００１５】
第９の発明においては、転送手段によって行われた転送の履歴を示す履歴情報を記録媒体毎に保存する履歴保存手段をさらに備えていてもよい。このとき、転送手段は、履歴情報に基づいて音楽データを記録媒体へ転送する。
【００１６】
第１０の発明においては、履歴保存手段は、記録媒体へ音楽データが前回転送された楽曲を示す情報を履歴情報として保存する。転送手段は、履歴情報により示される楽曲を除いて音楽データを記録媒体へ転送する。
【００１７】
第１１の発明においては、読取手段は、楽曲の音楽データと当該音楽データの音楽再生装置における再生状況を示す再生情報とが記録媒体に記録されている場合、当該再生情報を当該記録媒体から読み取るようにしてもよい。このとき、転送手段は、読み取られた再生情報に基づいて音楽データを記録媒体へ転送する。
【００１８】
第１２の発明においては、記録媒体は、音楽再生装置がその内部に備える記憶媒体であってもよい。このとき、ＩＤは、音楽再生装置に付与されたＩＤである。
【００１９】
第１３の発明においては、テーブルはユーザによって作成および修正が可能であるようにしてもよい。
【００２０】
第１４の発明においては、データサーバシステムは、端末装置と、当該端末装置とネットワークを介して通信可能なサーバ装置とを備えていてもよい。このとき、端末装置は、読取手段と、読取手段によって読み取られたＩＤをサーバ装置へ送信する端末側送信手段と、サーバ装置から送信されてくる音楽データを記録媒体へ書き込む書込手段とを備える。サーバ装置は、音楽データ格納手段と、関連付け情報格納手段と、指示決定手段と、転送手段と、転送手段によって転送される音楽データを端末装置へ送信するサーバ側送信手段とを備えている。転送手段は、音楽データをサーバ側送信手段および書込手段を介して記録媒体へ転送する。
【００２１】
なお、本発明は、上記記録媒体と上記データサーバシステムとを備える音楽データ転送システムの形態で提供されてもよい。また、音楽データ転送システムにおいて用いられる方法の形態で提供されてもよいし、データサーバシステムにおいて実行されるプログラムまたはそれを記録した記録媒体の形態で提供されてもよい。
【発明の効果】
【００２２】
本発明によれば、記録媒体のＩＤから転送に関する指示を決定し、当該指示に従って転送が行われるので、装着される記録媒体に応じた方法で音楽データを転送したり、装着される記録媒体に応じた楽曲の音楽データを転送したりすることができる。また、転送方法や転送内容は自動的に決定されるので、音楽データを転送する際に利用者は楽曲を指定する操作等を行う必要がないので、データサーバシステムから記録媒体への音楽データの転送を簡単に行うことができる。
【発明を実施するための最良の形態】
【００２３】
（第１の実施形態）
図１は、本発明の第１の実施形態に係る音楽データ転送システムの構成を示すブロック図である。図１に示す音楽データ転送システムは、データサーバシステム１１４および記録媒体１１を備える。データサーバシステム１１４は、読取部１３、第１テーブル格納部１４、第２テーブル格納部１５、利用者判別部１６、決定実行部１７、ユーザインターフェース部１８、属性格納部１９、履歴保存部１１０、選曲部１１１、音楽データ格納部１１２、および転送実行部１１３を備える。データサーバシステム１１４は、複数の楽曲について音楽データを格納し、音楽データを記録媒体１１に転送するものである。一方、記録媒体１１は、図示しない音楽再生装置に着脱可能に装着することが可能である。音楽データが記録された状態で音楽再生装置に装着されることによって、音楽再生装置において当該音楽データを再生することができる。
【００２４】
図１において、記録媒体１１は、データサーバシステム１１４と着脱可能に接続されている。なお、本実施形態では、複数個の記録媒体がデータサーバシステム１１４に接続される可能性がある状態であるとする。本実施形態に係る音楽データ転送システムにおいては、データサーバシステム１１４から転送される楽曲は、データサーバシステム１１４に接続される記録媒体（換言すれば、記録媒体の利用者）に応じて自動的に決定される。これによって、本実施形態によれば、記録媒体への音楽データの転送作業を利用者にとって簡易なものとすることができる。以下、図１に示す各部の構成について説明する。
【００２５】
記録媒体１１は、本実施形態ではＳＤ（ＳｅｃｕｒｅＤｉｇｉｔａｌ）カード等の半導体メモリとする。なお、記録媒体１１は、データサーバシステム１１４に格納されている音楽データを記録することが可能であればどのようなものであってもよい。
【００２６】
ＩＤ記憶部１２は、記録媒体に対して固有に付与されたＩＤ（固有ＩＤ）を記憶している。ＩＤ記憶部１２は、音楽データを記録するための記録装置とは別の記録装置によって実現されてもよいし、音楽データを記録するための記録装置の記録領域の一部として実現されてもよい。固有ＩＤは記録媒体に固有に付与される情報であるので、ＩＤ記憶部１２は、不揮発かつ書き換え不可に固有ＩＤを記憶することが好ましい。固有ＩＤは、一般的には、数字および文字列の組み合わせで表現される。
【００２７】
読取部１３は、記録媒体１１の固有ＩＤを識別する。すなわち、読取部１３は、データサーバシステム１１４に接続された記録媒体１１（ＩＤ記憶部１２を含む）に記録されたデータを読み取り、固有ＩＤを取得する。取得された固有ＩＤは、利用者判別部１６に渡される。
【００２８】
第１テーブル格納部１４は、データサーバシステム１１４に接続され得る記録媒体の固有ＩＤと、その記録媒体の利用者を示す利用者情報との対応を示す第１テーブルを格納する。第２テーブル格納部１５は、上記利用者情報と、その利用者情報により示される利用者の記録媒体へ音楽データを転送する場合における指示情報との対応を示す第２テーブルを格納する。指示情報とは、記録媒体への音楽データの転送に関する指示（転送指示）を示す情報である。第１および第２テーブルは、記録媒体に付与されたＩＤと、当該記録媒体への音楽データの転送に関する指示を示す指示情報とを関連付けるためのテーブルである。本実施形態では、請求項１に記載の関連付け情報は上記第１および第２テーブルに相当する。なお、以下では、第１および第２テーブル格納部１４および１５を関連付け情報格納部１１５とする。
【００２９】
利用者判別部１６は、読取部１３で識別した記録媒体１１の固有ＩＤを入力とし、第１テーブルを参照して記録媒体１１の利用者を判別する。決定実行部１７は、利用者判別部１６によって判別された利用者に対応する転送指示を第２テーブルを参照して決定する。利用者判別部１６および決定実行部１７によって、読取部１３によって読み取られた固有ＩＤに対応する指示情報が決定される。本実施形態では、請求項１に記載の指示決定手段は利用者判別部１６および決定実行部１７に相当する。
【００３０】
本実施形態では、上記第１および第２テーブルは、利用者によって追加または変更が可能である。ユーザインターフェース部１８は、利用者が第１および第２テーブルの追加または変更を行うためのインターフェースである。具体的には、ユーザインターフェース部１８は、第１および第２テーブルを追加または変更するための情報を表示したり、利用者から入力を受け付けたりする。
【００３１】
音楽データ格納部１１２は、複数の楽曲について音楽データを格納する。なお、本実施形態では、楽曲の音楽データを楽曲データと呼ぶことがある。属性格納部１９は、音楽データ格納部１１２に音楽データが格納されている各楽曲の属性情報を格納する。ここで、属性情報とは、楽曲が有する属性を示す情報であり、楽曲が有する属性とは、例えば、楽曲のジャンル、アーティスト、楽曲が収録されているアルバム名、楽曲の印象値（詳細は後述する）等を含む概念である。
【００３２】
選曲部１１１は、決定実行部１７で決定された転送指示に従って、音楽データ格納部１１２に音楽データが格納されている楽曲の中から、記録媒体１１へ転送すべき楽曲を選出する。なお、本実施形態においては、選曲部１１１は、上記属性情報を用いて選曲を行う。また、選曲部１１１は、後述する履歴情報に基づいて選曲を行う。転送実行部１１３は、選曲部１１１で選曲された楽曲の音楽データを音楽データ格納部１１２から記録媒体１１へ転送する。上記選曲部１１１および転送実行部１１３によって、指示情報により示される指示に従った、記録媒体１１への音楽データの転送処理が実行される。
【００３３】
履歴保存部１１０は、記録媒体１１への転送に関する履歴を示す履歴情報が保存される。本実施形態では、履歴情報は、記録媒体１１へ音楽データが転送された楽曲を示す情報である。
【００３４】
本実施形態においては、データサーバシステム１１４はパーソナルコンピュータによって１台のデータサーバ装置として実現される。図２は、データサーバシステム１１４のハードウェア構成を示す図である。図２において、データサーバ装置であるパーソナルコンピュータは、カードリーダライタ２１、ＣＰＵ２２、メモリ２３、ハードディスクドライブ（ＨＤＤ）２４、ディスプレイ２５、入力装置２６、およびＣＤドライブ２７を備えている。
【００３５】
カードリーダライタ２１は、記録媒体１１に記録されたデータの読み取りおよび記録媒体１１へのデータの書き込みを行う装置である。カードリーダライタ２１は、読取部１３および転送実行部１１３の一部の機能を実現する。
【００３６】
ＣＰＵ２２は、データサーバシステム１１４に格納されるプログラムを実行することによって、読取部１３、指示決定部１１６、および転送部１１７の機能を実現する。メモリ２３は、ＣＰＵ２２が読取部１３、指示決定部１１６、および転送部１１７における処理を実行する際に用いられるデータを記憶する。本実施形態では、関連付け情報格納部１１５、属性格納部１９、および履歴保存部１１０の機能がメモリ２３によって実現される。ＨＤＤ２４は、音楽データ格納部１１２の機能を実現する。すなわち、音楽データを格納する。
【００３７】
ディスプレイ２５および入力装置２６は、ユーザインターフェース部１８の機能を実現する。すなわち、ディスプレイ２５は、上記第１および第２テーブルを追加または変更するための情報を表示する。入力装置２６は、キーボードやマウスであり、利用者からの入力を受け付ける。なお、ＣＤドライブ２７は、データサーバ装置に音楽データを取り込むための手段の一例である。音楽データを取り込む際、データサーバ装置は、ＣＤドライブ２７によってＣＤから音楽データを読み込み、ＣＰＵ２２で圧縮符号化等の処理を施し、ＨＤＤ２４に音楽データとして格納する。
【００３８】
なお、本実施形態では、読取部１３、指示決定部１１６、および転送部１１７の機能は、ＣＰＵ２２が所定のプログラムを実行することによって実現されるものとしたが、これらの機能はＬＳＩなどの集積回路や専用の信号処理回路によって実現されてもよい。また、これらの各部の機能に相当する回路をそれぞれチップ化してもよい。ＬＳＩがテンポラリメモリを有する場合には、関連付け情報格納部１１５、属性格納部１９、および履歴保存部１１０はＬＳＩに含まれてもよい。なお、ここではＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。さらには、半導体技術の進歩または派生する別技術によりＬＳＩに置き換わる集積回路化の技術が登場すれば、当然、その技術を用いて機能ブロックの集積化を行ってもよい。
【００３９】
図３は、本実施形態に係るデータサーバシステムにおける処理の流れを示すフローチャートである。以下、データサーバシステム１１４に格納されている音楽データを記録媒体１１に転送する手順を図３を用いて説明する。なお、ここでは具体例として、記録媒体１１は、固有ＩＤが“１９２２０７５”であるメモリカードＭ１であるとし、メモリカードＭ１の利用者を利用者Ａであるとする。
【００４０】
図３に示すフローチャートは、カードリーダライタ２１にメモリカードＭ１が挿入されることによって開始される。まずステップＳ１１において、読取部１３が記録媒体１１の固有ＩＤを識別する。すなわち、読取部１３は、メモリカードＭ１のＩＤ記憶部１２に記憶されている固有ＩＤを読み取り、読み取った固有ＩＤを利用者判別部１６へ出力する。具体例では固有ＩＤ“１９２２０７５”が出力される。
【００４１】
次に、ステップＳ１２において、利用者判別部１６は第１テーブルを参照し、続くステップＳ１３において、読取部１３から出力された固有ＩＤが第１テーブルに登録済みか否かを判定する。ステップＳ１３において未登録と判定された場合にはステップＳ１４に進み、後述する固有ＩＤの登録処理が実行される。一方、登録済みと判定された場合、処理はステップＳ１５に進み、利用者判別部１６は、第１テーブルにおいて上記固有ＩＤに対応する利用者情報を決定実行部１７へ出力する。これによって、利用者判別部１６によって利用者が判別されたこととなる。図４は、第１テーブルの一例を示す図である。第１テーブルは、図４に示すように、記録媒体の固有ＩＤと利用者情報とを対応付けるものである。具体例では、メモリカードＭ１の固有ＩＤは“１９２２０７５”であるので、ステップＳ１５においては、“利用者Ａ”を示す利用者情報が決定実行部１７へ出力される。
【００４２】
次に、ステップＳ１６において、利用者判別部１６は第１テーブルを参照し、利用者判別部１６から出力された利用者情報が第２テーブルに登録済みか否かを判定する。ステップＳ１６において未登録と判定された場合にはステップＳ１８に進み、後述する転送指示の登録処理が実行される。一方、登録済みと判定された場合、処理はステップＳ１７に進み、決定実行部１７は、第２テーブルにおいて利用者情報に対応する指示情報を選曲部１１１へ出力する。
【００４３】
図５は、第２テーブルの一例を示す図である。第２テーブルは、図５に示すように、利用者情報と指示情報とを対応付けるものである。ここでは、指示情報は、選曲方法、選曲要件、転送曲数または転送時間、および書き込み方法という４つの項目からなる。選曲方法は、楽曲の属性のうちでどの属性を用いて選曲を行うかを指定する項目である。すなわち、印象選曲とは、後述する印象値を用いて選曲を行うことを意味し、書誌情報選曲とは、ジャンル等の書誌情報を用いて選曲を行うことを意味する。また、選曲要件は、選曲される楽曲が満たすべき要件を指定する項目である。例えば、「ノリノリ系」とは、予め定められた印象値に対応しており、選曲要件が「ノリノリ系」である場合、当該印象値に近い印象値を持つ楽曲が選曲される。「癒し系」については、「ノリノリ系」とは異なる値の印象値に対応している。選曲要件が「ランダム」である場合、楽曲はランダムに選曲される。選曲要件が「Ｊａｚｚ」である場合、ジャンルが「Ｊａｚｚ」である楽曲が選曲される。転送曲数は、転送すべき楽曲の曲数を示す。転送時間は、転送すべき楽曲の時間の合計を示す。データサーバシステム１１４は、転送時間を超えない範囲で楽曲を選曲する。書き込み方法の項目は、記録媒体へ音楽データを書き込む方法を指定する項目である。書き込み方法が「置換」である場合、記録媒体に記録されている音楽データが消去され、選曲された楽曲の音楽データが新たに記録される。また、書き込み方法が「追加」である場合、記録媒体に記録されている音楽データは消去されず、選曲された楽曲の音楽データが追加して記録される。
【００４４】
上記具体例では、利用者判別部１６から“利用者Ａ”を示す利用者情報が出力されるので、図５に示す第２テーブルによれば、選曲方法が“印象選曲”であり、選曲要件が“ノリノリ系”であり、転送曲数または転送時間が“１０曲”であり、書き込み方法が“置換”である転送指示を示す指示情報が選曲部１１１へ出力される。
【００４５】
ステップＳ１９においては、選曲部１１１は、決定実行部１７が出力した指示情報に従って選曲を行う。選曲は、属性格納部１９に格納されている属性情報を参照して行われる。図６は、属性情報の一例を示す図である。図６においては、属性情報には、曲ＩＤ、曲タイトル、アーティスト、アルバム、ジャンル、時間、印象値Ｘ、および印象値Ｙを示す情報が楽曲毎に含まれている。曲ＩＤは、楽曲毎に固有のＩＤである。アルバムとは、楽曲が収録されているアルバムのタイトルである。時間は、楽曲の再生時間である。印象値ＸおよびＹは、楽曲に対する聴者の印象を数値化したものである。具体的には、印象値Ｘは、“情動因子”を表し、印象値Ｘの値が大きいほど情動的（感情的）な楽曲となる。印象値Ｙは、“躍動因子”を表し、印象値Ｙの値が大きいほど躍動的な楽曲となる。図６に示す属性情報は、楽曲毎に予め設定されているものとする。
【００４６】
ステップＳ１９においてはまず、選曲部１１１は、楽曲の選曲方法を決定する。すなわち、選曲方法は、指示情報に含まれている選曲方法に決定される。本実施形態では、選曲方法には書誌情報選曲および印象選曲があり、書誌情報選曲の場合、属性情報の内の、曲タイトル、アーティスト、アルバム、またはジャンルが参照され、印象選曲の場合、属性情報の内の印象値Ｘおよび印象値Ｙが参照される。
【００４７】
ここでは選曲動作の例として、印象選曲によって選曲が行われる場合について説明する。印象選曲は楽曲の印象値を用いて選曲を行う選曲方法であり、例えば、特開２００２−２７８５４７に記載の楽曲検索方法および楽曲検索用データ登録方法を用いる。図７は、印象選曲の選曲方法を説明するためのＸＹ平面を示す図である。図７において、ＸＹ平面上にプロットされた各点は、各楽曲に対応し、各楽曲の印象（印象値ＸおよびＹ）を表している。
【００４８】
ここで、指示情報に含まれている“ノリノリ系”という楽曲要件に対しては、ＸＹ平面上の所定の一点（すなわち印象値ＸおよびＹ）が予め設定されている。ここでは、“ノリノリ系”という楽曲要件に対して、印象値Ｘ＝−１．１２４、印象値Ｙ＝０．７３５の位置（図７に示す×印）が設定されている。したがって、この位置付近に存在する楽曲は、類似した印象（ここでは「ノリノリ系」）を聴者が受ける楽曲である。
【００４９】
選曲方法が決定されると、選曲部１１１は、指示情報に含まれている選曲要件で選曲を行う。例えば、“ノリノリ系”という楽曲要件で印象選曲を行う場合、選曲部１１１は、印象値Ｘ＝−１．１２４、印象値Ｙ＝０．７３５の位置から近い順に楽曲を選出していく。
【００５０】
また、本実施形態においては、選曲部１１１は、履歴保存部１１０に保存されている履歴情報に基づいて選曲を行う。図８は、履歴情報の一例を示す図である。本実施形態では、履歴情報は、利用者の記録媒体に転送した楽曲の履歴を利用者毎に示す情報である。この履歴情報は、記録媒体に前回転送された楽曲を示すものであってもよいし、以前に転送された楽曲のうち、最近に転送されたものから順に所定曲数を格納するものであってもよい。選曲部１１１は、利用者判別部１６から利用者情報を取得することによって、記録媒体（具体例では、メモリカードＭ１）の利用者を特定する。そして、特定した利用者についての履歴情報を参照し、当該履歴情報に含まれている楽曲を選曲対象から除外する。
【００５１】
選曲部１１１は、指示情報に含まれている転送曲数または転送時間の範囲内で、選曲要件を満たす楽曲で、かつ、履歴情報に含まれていない楽曲を選曲していく。具体例では、転送曲数が“１０曲”となっているので、上記ＸＹ平面において印象値Ｘ＝−１．１２４、印象値Ｙ＝０．７３５の位置から近い順に１０曲（ただし、履歴情報に含まれている楽曲を除く）が選曲される。選曲部１１１は、選曲した楽曲の曲ＩＤを転送実行部１１３へ出力する。以上のステップＳ１９の次にステップＳ２０の処理が実行される。
【００５２】
ステップＳ２０においては、転送実行部１１３は、選曲部１１１から出力された曲ＩＤにより示される楽曲の音楽データを音楽データ格納部１１２から記録媒体１１へ転送する。すなわち、転送実行部１１３は、当該曲ＩＤにより示される音楽データを音楽データ格納部１１２から取得し、取得した音楽データを記録媒体１１へ転送する。本実施形態では、ＨＤＤ２４に格納された音楽データのうち、利用者Ａの転送指示に従って選曲された１０曲の楽曲の音楽データが、カードリーダライタ２１によって半導体メモリカードＭ１に書き込まれる。
【００５３】
以上のように、本実施形態によれば、メモリカードをデータサーバシステムに挿入するという操作のみで、利用者に応じた転送指示によって利用者の好みに応じた楽曲の音楽データがメモリカードへ転送される。利用者は、好みの楽曲を１曲ずつ指定しなくとも、自分の好みの楽曲をメモリカードへ簡単に転送することができる。
【００５４】
次に、記録媒体または転送指示が本データサーバシステムにおいて未登録であった場合の処理、すなわち、図３に示すステップＳ１５およびＳ１８の処理について説明する。図９は、ユーザインターフェース部１８に表示される画面の一例を示す図である。ステップＳ１５およびＳ１８においては、図９に示す画面が表示される。
【００５５】
まず、記録媒体が未登録、すなわち、その記録媒体がデータサーバシステム１１４に初めて挿入された場合の処理を説明する。この場合、前述のように、ステップＳ１３において未登録の記録媒体であると判定され、ステップＳ１５の処理が実行される。ステップＳ１５においては、利用者判別部１６は、ユーザインターフェース部１８を用いて、記録媒体に関する登録を利用者に対して促す。具体的には、図９に示す画面が表示される。画面には、すでに登録済みの利用者の名称が表示部９１に表示される。また、新規利用者が名称を入力するための入力テキストボックス９２が強調表示される。利用者は、入力テキストボックス９２に利用者を識別する名称を入力する（図９では、「利用者Ｄ」と記載する）。入力が終了すると、利用者は、登録ボタン９３を押下（指定）する。これによって、利用者情報の入力が確定するので、ユーザインターフェース部１８は、現在装着されている記録媒体の固有ＩＤと、当該利用者情報とを対応付けて第１テーブルに追加する。以上により記録媒体の登録が完了し、次のステップＳ１５に進む。
【００５６】
また、転送指示が未登録の場合、前述のように、ステップＳ１６において転送指示が未登録と判定され、ステップＳ１８の処理が実行される。ステップＳ１８においては、決定実行部１７は、ユーザインターフェース部１８を用いて、転送指示に関する登録を利用者に対して促す。具体的には、図９に示す画面が表示され、利用者に対して転送指示の入力を促す文章９７が表示される。利用者は、希望する転送指示を選曲要件入力部９５に入力する。具体的には、書誌情報選曲を行う場合には、入力テキストボックス９４ａ〜９４ｃのいずれかに書誌情報を入力し、印象選曲を行う場合には、選曲要件を表すボタン９５ａ〜９５ｄのいずれかを指定する。なお、いずれの入力も行われない場合、選曲要件として「ランダム」が指定されたと判断される。さらに、利用者は、入力テキストボックス９６ａに転送曲数を入力するか、または、入力テキストボックス９６ｂに転送時間を入力する。以上の入力が完了すると、利用者は、登録ボタン９８を押下（指定）する。これによって、転送指示を示す指示情報が確定するので、ユーザインターフェース部１８は、利用者情報と指示情報とを対応付けて第２テーブルに追加する。以上により転送指示の登録が完了し、次のステップＳ１９に進む。
【００５７】
以上のように、本実施形態に係る音楽データ転送システムによれば、利用者はデータサーバからメモリカードへ転送する楽曲を都度指定する必要なく、メモリカードをデータサーバに挿入するだけで、利用者の転送指示に従った楽曲の音楽データをメモリカードに転送することが可能となる。また、メモリカードや利用者の転送指示が未登録な場合でも、簡単な操作により一度登録を行えば、その後は上記と同様、メモリカードをデータサーバに挿入するだけで音楽データの転送が可能となる。
【００５８】
なお、本実施形態では記録媒体として半導体メモリカードを例にあげて説明したが、それに限定する必要はなく、ＤＶＤ−ＲＡＭ、ＨＤＤ等の磁気記録媒体でもよい。また、記録媒体は音楽再生装置と一体型になった形態でもよい。すなわち、データサーバシステム１１４に音楽再生装置を接続する形態であってもよい。
【００５９】
なお、上記実施形態において、音楽再生装置における楽曲の再生状況（再生されたか否か）を示す再生情報が記録媒体１１に記録されている場合、選曲部１１１は、再生情報に基づいて選曲を行うようにしてもよい。図１０は、再生情報の一例を示す図である。図１０に示すように、再生情報は、音楽再生装置において楽曲が再生されたか再生されていないかを各楽曲について示す情報である。再生情報が記録媒体１１に記録されている場合、読取部１３は再生情報を読み取り、再生情報を選曲部１１１に出力する。選曲部１１１は、再生情報を参照し、再生された楽曲については選曲対象から除外する。これによれば、何度も同じ楽曲が転送されることがないので、利用者に飽きさせない選曲が可能となる。なお、他の実施形態においては、選曲部１１１は、再生情報に基づいて履歴情報を更新し、更新した履歴情報に基づいて選曲を行うようにしてもよい。例えば、履歴情報に含まれている楽曲のうち、記録媒体において再生されていない楽曲については、履歴情報から外すようにしてもよい。
【００６０】
また、本実施形態では、記録媒体の固有ＩＤと利用者情報とを関連付けた第１テーブル、および、利用者情報と指示情報とを関連付けた第２テーブルを用意したが、他の実施形態においては、記録媒体の固有ＩＤと指示情報とを関連付けたテーブルを用意するようにしてもよい。このとき、利用者情報は不要であり、指示決定部１１６は、記録媒体の固有ＩＤから指示情報を直接決定することができる。
【００６１】
また、本実施形態では、指示情報は、（１）記録媒体へ転送する楽曲に関する指示（選曲要件）、（２）記録媒体へ音楽データを転送するデータ量を指定する指示（転送曲数または転送時間）、および（３）記録媒体へ音楽データを書き込む方法を指定する指示（書き込み方法）という３つの指示を含むものであった。ここで、他の実施形態においては、指示情報は、上記（１）〜（３）のいずれか１つを少なくとも含んでいればよい。なお、指示情報が上記（１）を含む場合には、記録媒体に応じた楽曲の音楽データを自動的に転送することができる。指示情報が上記（２）を含む場合には、記録媒体に応じたデータ量で音楽データを自動的に転送することができる。指示情報が上記（３）を含む場合には、記録媒体に応じた書き込み方法で音楽データを自動的に転送することができる。
【００６２】
また、本実施形態では、印象選曲を行うことによって、楽曲の印象に基づいた選曲を行うことができる。例えば、「明るい」印象を受ける楽曲を選曲して転送することができたり、「静かな」印象を受ける楽曲を選曲して転送することができる。
【００６３】
また、本実施形態では、履歴情報に基づいて選曲を行うことによって、同じ記録媒体を装着した場合であっても、毎回履歴が異なることとなるので、毎回異なる楽曲が選曲されるようにすることができる。
【００６４】
（第２の実施形態）
次に、本発明の第２の実施形態について説明する。第１の実施形態においては、データサーバシステム１１４は、１台のパーソナルコンピュータによって実現されるデータサーバ装置の形態であったが、第２の実施形態においては、データサーバシステム１１４は、端末とサーバとからなる構成である点で第１の実施形態と異なる。
【００６５】
図１１および図１２は、第２実施形態に係る音楽データ転送システムの構成を示すブロック図である。なお、図１１および図１２において、図１と同じ構成要素には図１と同じ参照符号を付す。図１１において、音楽データ転送システムは、記録媒体１１およびデータサーバシステム１１４とを備える。ここで、データサーバシステム１１４は、端末３１、ネットワーク３２、およびサーバ３３を備える。端末３１は、記録媒体１１を着脱可能に接続する。ネットワーク３２は、例えばインターネットを用いたネットワークである。
【００６６】
図１２において、端末３１は、読取部１３、ユーザインターフェース部１８、書込部４２、および端末側通信部４１を備えている。端末３１は、利用者が記録媒体１１を装着する端末装置である。一方、サーバ３３は、第１テーブル格納部１４、第２テーブル格納部１５、利用者判別部１６、決定実行部１７、属性格納部１９、履歴保存部１１０、選曲部１１１、音楽データ格納部１１２、転送実行部１１３、およびサーバ側通信部４３を備える。サーバ３３は、転送する音楽データの蓄積および選曲を行う装置である。なお、図１２においてはネットワーク３２を図示していないが、端末側通信部４１とサーバ側通信部４３とはネットワーク３２を介して接続される。
【００６７】
第２の実施形態におけるデータサーバシステム１１４の主な処理は第１の実施形態と同様であるが、第２の実施形態においては、端末３１とサーバ３３とに処理が分割される点で異なる。すなわち、読取部１３で識別された記録媒体の固有ＩＤは、端末側通信部４１からサーバ側通信部４３に送信され、サーバ側通信部４３から利用者判別部１６に出力される。また、転送実行部１１３から出力される音楽データは、サーバ側通信部４３から端末側通信部４１に送信され、端末側通信部４１から書込部４２に出力される。書込部４２は、端末側通信部４１から出力された音楽データを記録媒体１１に書き込む。
【００６８】
以上のように、第２の実施形態に係る音楽データ転送システムによって、データサーバが物理的に異なる場所で稼動する状況においても、煩雑な操作なく利用者の転送指示に合致した音楽データをデータサーバから半導体メモリー等の媒体に転送することが可能となる。また、サーバ３３に対して複数の端末３１を接続するようにすれば、音楽データ格納部１１２に格納された音楽データを、物理的に異なる複数の場所で記録媒体へ転送することが可能となる。
【００６９】
なお、第２の実施形態では、端末３１およびサーバ３３の構成を図１２のように示したが、端末およびサーバが備える機能は他の構成であってもよい。例えば、他の実施形態においては、関連付け情報格納部１１５および指示決定部１１６を端末３１側に備えるようにしてもよい。
【産業上の利用可能性】
【００７０】
本発明は、例えばＨＤＤ搭載型のミニコンポ等の据え置き型音楽再生装置に適用することによって、メモリカード等の記録媒体を音楽再生装置に挿入するだけで利用者の好みの楽曲を転送することができ、据え置き型音楽再生装置と携帯型音楽再生装置との連携を強化することができる。また、サーバと端末とをネットワークを介して接続する構成とすることにより、遠隔地にあるデータセンターから手元の半導体メモリカードに簡単な操作で音楽データを転送することができ、音楽配信システムやデータキオスク等の装置をより簡単に利用することができる。
【図面の簡単な説明】
【００７１】
【図１】第１の実施形態に係る音楽データ転送システムの構成を示すブロック図
【図２】データサーバシステム１１４のハードウェア構成を示す図
【図３】本実施形態に係るデータサーバシステムにおける処理の流れを示すフローチャート
【図４】第１テーブルの一例を示す図
【図５】第２テーブルの一例を示す図
【図６】属性情報の一例を示す図
【図７】印象選曲の選曲方法を説明するためのＸＹ平面を示す図
【図８】履歴情報の一例を示す図
【図９】ユーザインターフェース部１８に表示される画面の一例を示す図
【図１０】再生情報の一例を示す図
【図１１】第２実施形態に係る音楽データ転送システムの構成を示すブロック図
【図１２】第２実施形態に係る音楽データ転送システムの構成を示すブロック図
【符号の説明】
【００７２】
１１  記録媒体
１２  ＩＤ記憶部
１３  読取部
１４  第１テーブル格納部
１５  第２テーブル格納部
１６  利用者判別部
１７  決定実行部
１８  ユーザインターフェース部
１９  属性格納部
１１０  履歴保存部
１１１  選曲部
１１２  音楽データ格納部
１１３  転送実行部
２１  カードリーダライタ
２２  ＣＰＵ
２３  メモリ
２４  ＨＤＤ
２５  ディスプレイ
２６  入力装置
２７  ＣＤドライブ
【図１】
2007011505.tif 000003
【図２】
2007011505.tif 000004
【図３】
2007011505.tif 000005
【図４】
2007011505.tif 000006
【図５】
2007011505.tif 000007
【図６】
2007011505.tif 000008
【図７】
2007011505.tif 000009
【図８】
2007011505.tif 000010
【図９】
2007011505.tif 000011
【図１０】
2007011505.tif 000012
【図１１】
2007011505.tif 000013
【図１２】
2007011505.tif 000014